(57)【要約】モジュール式電気ジャック・コネクタ・システムであって、少なくとも１つのジャック・コネクタ・ハウジングと、ジャック・コネクタ・ハウジング内に挿入される少なくとも１つのジャック・コネクタ・サブアセンブリとを備え、各ジャック・コネクタ・ハウジングは、前結合面であって、少なくとも２つの開口を有し、開口は、前結合面を通して種々の電気プラグ・コネクタを受け取るために積重ねて配設される、前結合面と、少なくとも１つのジャック・コネクタ・サブアセンブリを挿入するための向かい側に配設される後面とを備え、さらに、各ジャック・コネクタ・サブアセンブリは、実質的に直角形状を有し、かつ、上部面と底部面にそれぞれ、一連の押出しコーティングまたは射出成形ジャック端子を有する長手方向ストリップ様キャリアを備える。
2007520036.tif 000002
【特許請求の範囲】
【請求項１】
モジュール式電気ジャック・コネクタ・システムであって、少なくとも１つのジャック・コネクタ・ハウジング（１００、１０１、１０２）と、前記ジャック・コネクタ・ハウジング（１００、１０１、１０２）内に挿入される少なくとも１つのジャック・コネクタ・サブアセンブリ（２００）とを備え、前記ジャック・コネクタ・ハウジング（１００、１０１、１０２）は、少なくとも１つのさらなるジャック・コネクタ・ハウジングに対してモジュール式隣接配列のために形成され、各ジャック・コネクタ・ハウジング（１００、１０１、１０２）は、前結合面であって、少なくとも２つの開口（１１０、１１１）を有し、前記開口（１１０、１１１）は、前記前結合面を通して種々の電気プラグ・コネクタを受け取るために積重ねて配設される、前結合面と、少なくとも１つのジャック・コネクタ・サブアセンブリ（２００）を挿入するための前記前結合面に対して向かい側に配設される後面（１１２）とを備え、各ジャック・コネクタ・サブアセンブリ（２００）は、実質的に直角形状を有し、かつ、上部と底部にそれぞれ、一連の押出しコーティングまたは射出成形ジャック端子（２６０）を有する長手方向ストリップ様キャリア（２５０）を備え、前記押出しコーティングまたは射出成形ジャック端子（２６０）は、前記ストリップ様キャリアの前端において、未コーティングでかつ反り返った片持ち式接点部分（２６５、２６６）を含み、前記未コーティングでかつ反り返った片持ち式接点部分（２６５、２６６）は、前記ジャック・コネクタ・ハウジング（１００、１０１、１０２）の前記上部開口（１１０）内に、かつ／または、下部開口（１１１）内に整列して配設されるジャック・コネクタ・システム。
【請求項２】
種々のモジュール式の隣接配列式ジャック・コネクタ・ハウジング（１００、１０１、１０２）を有し、各ジャック・コネクタ・ハウジングは、プラスチック材料から形成され、それぞれ、１つのジャック・コネクタ・サブアセンブリ（２００）を受け取るために形成される請求項１に記載のジャック・コネクタ・システム。
【請求項３】
それぞれ、１つの金属シールド（５００）は、個々の隣接配列式ジャック・コネクタ・ハウジング（１００、１０１、１０２）の間に挿入される請求項１乃至２のいずれか１項に記載のジャック・コネクタ・システム。
【請求項４】
前記ストリップ様キャリア（２５０）は、２つの積重ね可能なキャリアの半分からモジュール式に構築され、各半分は、ジャック端子の押出しコ−ティングまたは射出成形機構を備える請求項１乃至３のいずれか１項に記載のジャック・コネクタ・システム。
【請求項５】
金属シールド板（２７０）は、２つのキャリアの半分の間にサンドイッチ様に配設される請求項４に記載のジャック・コネクタ・システム。
【請求項６】
前記接点部分（２６５、２５６）の前記未コーティング・エリアまでの、前記ジャック・コネクタの前記押出しコーティングは、バンプまたはナックル様厚肉化部（２６９）を形成する請求項１乃至５のいずれか１項に記載のジャック・コネクタ・システム。
【請求項７】
前記ストリップ様キャリア・モジュールは、２つの積重ね可能な同じキャリアの半分（２５１、２５２）から構築され、各キャリアの半分は、それぞれ、相補的に形成された係合デバイス（２５３ａ、２５３ｂ、２５４ａ、２５４ｂ）を備える請求項１乃至６のいずれか１項に記載のジャック・コネクタ・システム。
【請求項８】
信号調節のために、前記ジャック・コネクタ・サブアセンブリは、相応して適応するコンポーネント・モジュール（２８０、２６１）を備え、前記相応して適応するコンポーネント・モジュール（２８０、２６１）は、前記ストリップ様キャリアの上部表面に関して少なくとも隣接して配設される請求項１乃至７のいずれか１項に記載のジャック・コネクタ・システム。
【請求項９】
種々の異なる調節コンポーネント・モジュールは、前記ジャック・コネクタ・サブアセンブリに接続可能である請求項１乃至８のいずれか１項に記載のジャック・コネクタ・システム。
【請求項１０】
前記ジャック・コネクタ・サブアセンブリは種々の信号ピン（２２０）を備え、前記信号ピン（２２０）は一方の面の方に延びる請求項１乃至９のいずれか１項に記載のジャック・コネクタ・システム。
【請求項１１】
前記ジャック・コネクタ・サブアセンブリは、インライン電源用のピンを備える請求項１乃至１０のいずれか１項に記載のジャック・コネクタ・システム。
【請求項１２】
前記ジャック・コネクタ・サブアセンブリは、前記ジャック・コネクタ・サブアセンブリによって包含される前記部品および前記部品の電気回路を一緒に機械的に保持するための、２つの分離したキャリア板（２１０）および、特に、プリント回路板を備える請求項１乃至１１のいずれか１項に記載のジャック・コネクタ・システム。
【請求項１３】
前記キャリア板（２１０）の間に、前記ストリップ様キャリア（２５０）が配設される請求項１２に記載のジャック・コネクタ・システム。
【請求項１４】
前記キャリア板（２１０）の間に、箱型モジュール（２８０、２８１）を包含する少なくとも１つの電気／電子部品が配設される請求項１２乃至１３のいずれか１項に記載のジャック・コネクタ・システム。
【請求項１５】
前記キャリア板の外側に、電気／電子部品（２５５）が配設される請求項１２乃至１４のいずれか１項に記載のジャック・コネクタ・システム。
【請求項１６】
前記ジャック・コネクタ・サブアセンブリはＬＥＤピンを装備する請求項１乃至１５のいずれか１項に記載のジャック・コネクタ・システム。
【請求項１７】
前記ジャック・コネクタ・サブアセンブリは、少なくとも１つの直角に放射するＬＥＤ（２９０）を備え、前記直角に放射するＬＥＤ（２９０）の光は、導波路（２９１）を介して前結合面まで、前方向でかつ外方向に誘導可能な請求項１６に記載のジャック・コネクタ・システム。
【請求項１８】
前記ジャック・コネクタ・ハウジングは、前記導波路を受け取るための誘導チャネルを持って形成される請求項１７に記載のジャック・コネクタ・システム。
【請求項１９】
前記１つまたは複数のジャック・コネクタ・ハウジングは、少なくとも１つの接地板（４００）および、特に、プリント回路板上に配設され、前記プリント回路板は、ジャック・コネクタ・サブアセンブリに誘導された各信号ピン（２２０）の出っ張りを受け取るための開口（４１０）を備える請求項１乃至１８のいずれか１項に記載のジャック・コネクタ・システム。
【請求項２０】
前記接地板（４００）は、同時に、さらなる電気／電子部品を搭載する請求項１９に記載のジャック・コネクタ・システム。
【請求項２１】
前記接地板（４００）は、サンドイッチ様多層複合構造を備える請求項１９乃至２０のいずれか１項に記載のジャック・コネクタ・システム。
【請求項２２】
前記１つまたは複数のジャック・コネクタ・ハウジングは、外部シールド・ハウジング（３００）によって包含される請求項１乃至２１のいずれか１項に記載のジャック・コネクタ・システム。
【請求項２３】
挿入された各ジャック・コネクタ・サブアセンブリ（２００）は、前記外部シールド（３００）に直接はんだ付けされる請求項２２に記載のジャック・コネクタ・システム。
【請求項２４】
前記外部シールドは、２つの部分で構築され、前記第１部分（３１５）は、前記ジャック・コネクタ・ハウジングの前記前結合面から前記ジャック・コネクタ・ハウジングに取り付け可能であり、前記第２シールド部分（３２０）は、前記第１部分（３１５）にはんだ付け可能であり、前記ジャック・コネクタ・ハウジングの前記後面から前記ジャック・コネクタ・ハウジングに取り付け可能である請求項２２乃至２３のいずれか１項に記載のジャック・コネクタ・システム。
【請求項２５】
前記ジャック・コネクタ・ハウジングを一緒に配列するために、前記ジャック・コネクタ・ハウジングは、それぞれ相補的に作られた固定デバイス（１１５、１１６）を備える請求項１乃至２４のいずれか１項に記載のジャック・コネクタ・システム。
【請求項２６】
少なくとも中間に配列された、かつ／または、配列可能なジャック・コネクタ・ハウジング（１００）は、同じように構築される請求項１乃至２５のいずれか１項に記載のジャック・コネクタ・システム。
【請求項２７】
請求項１乃至２６のいずれか１項に記載のモジュール式電気ジャック・コネクタ・システム用のジャック・コネクタ・ハウジング（１００、１０１、１０２）であって、少なくとも１つのさらなるジャック・コネクタ・ハウジングにモジュール式に配列可能で、かつ、接続可能であるジャック・コネクタ・ハウジング。
【請求項２８】
請求項１乃至２７のいずれか１項に記載のモジュール式電気ジャック・コネクタ・システム用のジャック・コネクタ・サブアセンブリ（２００）であって、実質的に直角形状を含み、かつ、上部と底部にそれぞれ、一連の押出しコーティングまたは射出成形ジャック端子（２６０）を有する長手方向ストリップ様キャリア（２５０）を特徴とし、前記押出しコーティングまたは射出成形ジャック端子（２６０）は、前記ストリップ様キャリアの前端において、未コーティングでかつ反り返った片持ち式接点部分（２６５、２５６）を含み、前記未コーティングでかつ反り返った片持ち式接点部分（２６５、２５６）は、前記ジャック・コネクタ・ハウジングの前記上部開口（１１０）内に、かつ／または、下部開口（１１１）内に整列可能であるジャック・コネクタ・サブアセンブリ。
【請求項２９】
長手方向ストリップ様キャリア（２５０）であって、実質的に直角形状を含み、かつ、上部と底部にそれぞれ、一連の押出しコーティングまたは射出成形ジャック端子を有し、前記押出しコーティングまたは射出成形ジャック端子は、前記ストリップ様キャリアの前端において、特に、請求項１乃至２８のいずれか１項に記載のモジュール式電気ジャック・コネクタ・システム用の未コーティングでかつ反り返った片持ち式接点部分を含む長手方向ストリップ様キャリア。
【請求項３０】
請求項１乃至２９のいずれか１項に記載のモジュール式電気ジャック・コネクタ・システム用の長手方向ストリップ様ジャック端子キャリアであって、前記ストリップ様キャリア（２５０）は、２つの積重ね可能な同じキャリアの半分（２５１、２５２）からモジュール式に構築され、各キャリアの半分は、それぞれ、相補的係合手段（２５３ａ、２５３ｂ、２５４ａ、２５４ｂ）を備える長手方向ストリップ様ジャック端子キャリア。
【発明の詳細な説明】
【技術分野】
【０００１】
本発明は、種々の接続ジャックまたはポートを有する種々のジャック・コネクタを提供するための、特に、イーサネット(登録商標)・ネットワークで使用するための、モジュール式に構築可能なジャック・コネクタ・システムに関する。
【背景技術】
【０００２】
基本的にコンパクトなジャック・コネクタ機構を提供するための、共通ハウジング内に種々の接続ジャックを有する、知られている回路コネクタ機構が存在する。さらに、垂直積重ね式、および／または、隣接配列式機構内の特定の数のジャックは、従来通り、共通外部ハウジング内に設けられる（いわゆる、積重ね式ジャック機構）。一般に、ジャック・コネクタは、この目的のために、プラグ・コネクタ受け取り開口を有するハウジングを備え、受け取られる相補的なプラグ・コネクタとの接続を生成するための電気端子接点が配設され、電気端子接点は、モジュール式ジャック・サブアセンブリによって、プラグ・コネクタ受け取り開口のうちの１つの開口に関して向かい側に配設される面の一方からハウジング内に挿入されることが多い。こうしたジャック・コネクタは、相当するように相補的に形成されたＲＪ−４５またはＲＪ−１１プラグ・コネクタとの接続を生成するために、たとえば、タイプＲＪ−４５またはタイプＲＪ−１１のモジュール式に構築されたジャックを形成する。
【０００３】
こうした接続システムはまた、他のコンピュータまたは自動化ネットワークにおいて、たとえば、電話分配ネットワークと並んで一般的であり、それらには、同軸ケーブル、光ファイバ・ケーブル、および電話ケーブルを含む種々のデータ転送媒体が含まれる。こうしたネットワーク・トポグラフィは、たとえば、イーサネット(登録商標)・ネットワークとして知られており、たとえば、ＩＥＥＥ８０２．３などの種々の電気規格に従う。こうしたネットワークは、多数の分散接続部を提供しなければならず、接続システムは、従来通り、種々の異なる接続部を提供するための、漸進的な小型化によってわずかの空間だけを占めることができる。
【０００４】
こうしたネットワークは、１ギガビット以上の高レートでさらに動作するため、さらなる要件は、転送される信号をかなり調節することである。したがって、たとえば、いわゆる、同相除去（ＣＭＲ）を提供し、また、特定の電磁両立性（ＥＭＣ）および／または電磁妨害に対する抵抗性を保証するために、シールドが、通常、必要である。したがって、信号を調節するために、機構内に、特に、マグネット・コイルなどの相当する部品を組み込むことがさらに必要であるが、対応して信号を調節するために、容量性部品もまた組み込むことが必要である。
【０００５】
印刷された公開文書ＵＳ−Ｂ１−６  ５１１  ３４８は、ジャック・コネクタ・ハウジングの周りに外部シールド・ハウジングを有する、１つのこうしたジャンルを形成するモジュール式ジャック・コネクタ機構を開示しており、種々のモジュール式ジャック・サブアセンブリが挿入可能である。モジュール式ジャック・サブアセンブリは、それぞれ、印刷された公開文書に従って、その上部面と底部面が、種々の隣接配列式ジャック端子を受け取る長手方向ストリップ様キャリアを備える。さらに、ストリップ様キャリアは、キャリアの上部面と底部面にチャネルを形成され、チャネルは、リブによって横方向に境界を定められており、チャネル内に、ジャック端子が位置決めされる。ストリップ様キャリアの前端部上で、チャネル内に配設される電気ジャック端子のそれぞれの接点部分が反り返り、接点部分は、上部面と下部面からそれぞれ垂直に延び、チャネルとつながるスロット内に保持される。
【０００６】
ジャク端子は、接触部分に関してそれぞれ向かい側に配設された端部が、ストリップ様キャリアに関して横方向に配設されたプリント回路板内に入った状態で延び、そこで、対応して接点接続部を形成し、プリント回路板のこれらの接点接続部の上と下およびストリップ様キャリアの上と下において、信号調節部品が受け取られる。ジャック・サブアセンブリは、ジャック・コネクタ・ハウジング内に隣接して配設され、シールド板によって互いから分離される。各ストリップ様キャリアの上と下において、ジャック・コネクタ・ハウジング内のプラグ・コネクタ・レセプタクルが画定され、プラグ・コネクタ・レセプタクルにおいて、端子接点が、ストリップ様キャリアの上と下に配設される。
【０００７】
ここでの実質的な欠点は、リブ間に形成されるチャネル内に電気ジャック端子を配置すること、および、スロット内に保持される接点部分を含むことによって、ストリップ様キャリアならびにジャック端子の両方の製造だけでなく、２つの部品の組み立てもまた、精度に最大の要求を課す。その理由は、精度に最大の要求を課さなければ、リブおよび／またはスロット内での端子および接点の連動が起こることになるためである。しかし、製造品質および組み立て精度が高い場合でも、リブ上で、また、スロット内での端子および接点部分の摩擦は完全には排除されず、その結果、これは、関連する保守点検および／または修理のコストを含む、早発性磨耗につながる可能性がある。ＵＳ公開文書によるモジュール式ジャック・コネクタ機構のさらなる実質的な欠点は、共通ジャック・コネクタ・ハウジングの使用によって種々の接続ジャックを提供するためのジャック・コネクタの数が指定され、それによって、ジャック・コネクタの制限された可能な変形のみが、保証可能である、かつ／または、異なる応用例について、それぞれ特定のジャック・コネクタ・ハウジングが設けられ、設けられることによって、特に、製造および格納に関するさらなるコスト増加が生じることである。
【０００８】
したがって、本発明の目的は、従来技術に関して、また、特に、イーサネット(登録商標)・ネットワークの場合に使用するための、新しく、かつ、実質的に改善されたモジュール式ジャック・コネクタ構造を結果として提供することからなり、それによって、迅速（ｆａｓｔ）、かつ費用効果的、かつ最大限に柔軟性のある方法で、空間を節約するモジュール式ジャック・コネクタ・システムを提供することができ、モジュール式ジャック・コネクタ・システムは、それぞれの特定の要求に関して、対応する数のジャック・コネクタ、したがって、接続ジャックまたはポートを備え、製造および組み立てについて、ジャック端子保持機構の実質的に簡略化した構築が保証される。
【特許文献１】ＵＳ−Ｂ１−６  ５１１  ３４８
【発明の開示】
【発明が解決しようとする課題】
【０００９】
本発明による目的は、添付独立請求項の特徴を含む主題によって、非常に驚くべき方法で説明される。
利益および／または好ましい実施形態ならびにさらなる実施形態は、従属請求項の主題である。
【課題を解決するための手段】
【００１０】
本発明によれば、モジュール式電気ジャック・コネクタ・システムが、それによって提供され、モジュール式電気ジャック・コネクタ・システムは、少なくとも１つのジャック・コネクタ・ハウジングと、ジャック・コネクタ・ハウジング内に挿入される少なくとも１つのジャック・コネクタ・サブアセンブリとを備え、ジャック・コネクタ・ハウジングは、少なくとも１つのさらなるジャック・コネクタ・ハウジングと都合よく一緒に配列することができ、前記さらなるジャック・コネクタ・ハウジングに接続可能であり、各ジャック・コネクタ・ハウジングは、前結合面であって、少なくとも２つの開口を有し、前記開口は、前結合面を通して種々の電気プラグ・コネクタを受け取るために積重ねて配設される、前結合面と、少なくとも１つのジャック・コネクタ・サブアセンブリを挿入するための前結合面に対して向かい側に配設される後面とを備え、さらに、各ジャック・コネクタ・サブアセンブリは、実質的に直角形状を有し、さらに、上部面と底部面にそれぞれ、一連の押出しコーティングまたは射出成形ジャック端子を有する長手方向ストリップ様キャリアを備え、押出しコーティングまたは射出成形ジャック端子は、ストリップ様キャリアの前端において、未コーティングでかつ反り返った片持ち式接点部分形成し、それによって、一方の面で上の、挿入されたジャック・コネクタ・サブアセンブリの反り返った一連の接点部分が、上部開口と整列するように配設され、向かい側に配設された面上の、反り返った一連の接点部分が、下部開口と整列するように配設される。
【００１１】
本発明によるジャック・コネクタ・システムは、種々のジャック・コネクタ・ハウジングについての、空間を節約するモジュール式同時配列によって、著しく柔軟性があり、実質的に無限に拡張可能な数のジャック・コネクタを保証し、さらに、押出しコーティングまたは射出成形ジャック端子および完全に未コーティングの反り返った片持ち式接点部分の結果として、ジャック端子は、特に、接点部分に関して、永続的に範囲を限定するように固定され、たとえ、製造公差がただ最小に保持される場合でも、誘導用／固定用リブまたは溝上での摩擦による、連動および／または早発性磨耗が、実質的に完全に排除される。
【００１２】
特に好ましい実施形態は、各ジャック・コネクタ・ハウジングは、プラスチック材料から成形され、それぞれ、１つのジャック・コネクタ・サブアセンブリを受け取るために形成されることをもたらす。
【００１３】
さらなる好ましい実施形態によれば、それぞれの個々の隣接配列式ジャック・コネクタ・ハウジングの間に、金属シールドがさらに挿入され、金属シールドの結果として、シールドの付加的な絶縁は全く必要とされず、したがって、さらなるコスト節約につながる。
【００１４】
さらなる好ましい実施形態によれば、ストリップ様キャリアは、特に、柔軟性のある作製のために、２つのそれぞれ垂直に配設可能なキャリアの半分から構築され、各半分は、ジャック端子の押出しコーティング機構を備える。
【００１５】
好ましくは、ジャック端子の押出しコーティングは、接点部分の未コーティング・エリアに向かって、バンプまたはナックル様厚肉化部を形成し、バンプまたはナックル様厚肉化部は、接点部分についてのエンド・ストップを画定し、それによって、対のプラグ・コネクタとそれぞれ接触する場合に、接点部分の永続的な事前応力印加が確保される。
【００１６】
シールド板は、さらにシールド値を高めるために、２つのキャリアの半分の間にサンドイッチ様に配設され、結果として、さらなる絶縁は全く必要とされない。その理由は、それぞれの一連のジャック端子はストリップ様キャリアの半分によって搭載され、それによって、押出しコーティングされたプラスチック材料によって既に絶縁されているからである。
【００１７】
さらに有益な実施形態では、ストリップ様キャリアの半部は、全体のストリップ様キャリアの費用効果的な製造が保証されるように同じように形成され、ストリップ様キャリアの半部は、１つのストリップ様キャリアを形成するために、それぞれ、２つのストリップ様キャリアの半部を簡単に組み立てるための、相補的に形成された係合デバイスを備える。
【００１８】
ジャック・コネクタ・サブアセンブリは、ジャック・コネクタ・ハウジング内に挿入可能であり、さらに、好ましい実施形態では、特に、マグネット・コイルなどの、信号調節のために相応して適応するコンポーネントを備え、マグネット・コイルは、用途に応じて、ストリップ様キャリアの上部表面に関して少なくとも隣接して配設される。押出しコーティングまたは射出成形ジャック端子、および、それぞれ１つのジャック・コネクタ・サブアセンブリの、それぞれ１つのジャック・コネクタ・ハウジングへの好ましい挿入のために、ジャック・コネクタ・サブアセンブリまたは信号調節用部品について、実質的にさらなる絶縁材料が必要とされない。
【００１９】
ジャック・コネクタ・サブアセンブリは、さらに好ましくは、種々の異なる調節部品が、前記ジャック・コネクタ・サブアセンブリにモジュール式に接続可能であるように形成され、箱様モジュール、たとえば、４〜１２個のコイルを有するマグネット箱が、特にこの目的に適合する。
【００２０】
標準ジャック・コネクタは、好ましい実施形態によれば、１０の信号ピンを有するジャック・コネクタ・ジャック・コネクタ・サブアセンブリを備える。インライン電源を提供するために、本発明によるジャック・コネクタ・サブアセンブリは、さらに、接続ポート当たり、４８ボルト用の２つの付加的なピンを持って形成される。
【００２１】
機械式固定具と全てのジャック・コネクタ・サブアセンブリが包含するパーツと部品とそれらの相互接続電気回路は、好ましくは、２つの分離した回路板、特に、その間に、特に、ストリップ様キャリアおよび箱様モジュールを配設することができるプリント回路板を介してジャック・コネクタ・サブアセンブリによって搭載される。さらなる電気／電子部品は、キャリア板の外側に配設することができ、電気回路用のキャリア板は、特に、それぞれの接点端および／またはピン端用の接触開口などの対応する接点機構を備える。
【００２２】
さらなる好ましい実施形態では、ジャック・コネクタ・サブアセンブリへのＬＥＤピンの装備がさらに行われ、さらに、簡単な組み立てのために、キャリア板上に、ＬＥＤが都合よく配設され、ＬＥＤは直角に放射し、ＬＥＤの光は、キャリア板に取り付けられた導波路を介して前結合面まで前方に誘導されることができる。導波路は、好ましいさらなる実施形態に従って、ジャック・コネクタ・ハウジング内に形成される誘導チャネル内で受け取られる。
【００２３】
最も簡単な方法で、ジャック・コネクタ・サブアセンブリ当たり、少なくとも最大８つの付加的なＬＥＤ機能、換言すれば、接続ポート当たり４つの機能が保証される。
【００２４】
特に有益な実施形態では、種々の隣接配列式ジャック・コネクタ・ハウジングは、少なくとも１つの接地板、特に、プリント回路板上に配設され、回路板は、ジャック・コネクタ・サブアセンブリから外へ誘導される信号ピンを受け取るための開口を備える。回路を接続するための、信号ピンの対応する特定用途向けの電気接続に加えて、本発明によって信号ピンの機械的な位置決めがもたらされ、付加的なシールド要素が設けられる。接地板の寸法に応じて、接地板は、同時に、さらなる電気／電子部品用のキャリアの役を果たす。万一、接地板がサンドイッチ様多層構造である場合、有益なさらなる実施形態によれば、特に、干渉信号フィルタリングのさらなる改善のために、静電容量性作用がもたらされる。
【００２５】
隣接配列式ジャック・コネクタ・ハウジングは、さらに、外部シールド・ハウジングのシールドをさらに改善するために配設され、外部シールド・ハウジングは、ジャック・コネクタ・ハウジングを実質的に完全に包含し、好ましくは、十分にシールドされたシステムを提供するために、接地板にはんだ付けされる。
【００２６】
さらなる好ましい実施形態では、さらに、それぞれの採用されたジャック・コネクタ・サブアセンブリは、最小伝達抵抗が確保されるように、外部シールドに直接はんだ付けされ、最小伝達抵抗によって、特に、もう一度、ＥＭＣおよび／またはＣＭＲ値が実質的に改善される。
【００２７】
外部シールドは、好ましくは、２つの部分で構築され、第１部分であって、ジャック・コネクタ・ハウジングの前結合面から前記ジャック・コネクタ・ハウジングに接続可能である、第１部分と、第２シールド部分であって、前記第１シールド部分にはんだ付け可能であり、ジャック・コネクタ・ハウジングの後面から前記ジャック・コネクタ・ハウジング上に設置可能である、第２部分とを備える。
【００２８】
この場合、外部シールド・ハウジングは、所望の数の隣接配列式ジャック・コネクタ・ハウジングに対応して前もって作製され、前結合面から取り付け可能なシールド部分の対応する数のカットアウトを持って形成され、カットアウトは、ジャック・コネクタのプラグ・コネクタを受け取るために設けられた開口と整列する。
【００２９】
ジャック・コネクタ・ハウジングを隣接配列するために、前記ジャック・コネクタ・ハウジングは、相補的に形成された取り付けデバイスを備え、配列の両端における終結用ジャック・コネクタ・ハウジング、換言すれば、配列内の最初と最後のジャック・コネクタ・ハウジングが、特に、外部シールド内に配置するために形成されることがもたらされることができる。しかし、少なくとも中間に配列される、かつ／または、中間に配列可能なジャック・コネクタ・ハウジングは、好ましい実施形態に従って、同じように構成される。
本発明は、以下で、添付図面を参照して好ましい実施形態に基づいてさらに詳細に述べられる。
【発明を実施するための最良の形態】
【００３０】
最初に、図１〜４が参照され、図１〜４には、分解状態と組み立てた状態の、イーサネット(登録商標)・ネットワークの場合に使用するための、本発明によるモジュール式ジャック・コネクタ・システムが、それぞれ、２つの異なる、水平に対して実質的に鏡像の視角度からの斜視図で示される。
【００３１】
図１および図２は、６つの数の、中央に４つと外側に２つのプラスチック材料でできた隣接配列可能な成形ジャック・コネクタ・ハウジング１００、１０１、１０２を示す。ジャック・コネクタ・ハウジング１００、１０１、１０２は、それぞれ、２つの垂直に配設されたプラグ・コネクタ受け取り開口１１０と１１１を有する前結合面を備える。ジャック・コネクタ・ハウジング１００、１０１、１０２の前結合面に対して向かい側に配設される後面１１２は、実質的に完全に開いた面を形成し、開いた面を通して、以下で別に述べるように、ジャック・コネクタ・サブアセンブリ２００が、それぞれのジャック・コネクタ・ハウジング１００、１０１、１０２内に挿入可能である。
【００３２】
ジャック・コネクタ・ハウジング１００、１０１、１０２は、それぞれ、向かいに配設される側面表面１１３と１１４上に、横方向配列のための係合デバイス１１５および／または１１６を備え、係合デバイス１１５および／または１１６は、互いに対して相補的に作られる。ジャック・コネクタ・ハウジング１００、１０１、１０２を横方向に配列するために、各ジャック・コネクタ・ハウジングの側面１１４上に係合デバイス１１６が形成され、係合デバイス１１６は、それによって、係合デバイス１１５と共に動作し、係合デバイス１１５は、隣接して配設されたジャック・コネクタ・ハウジングの向かいに配設される面１１３上に形成される。
【００３３】
都合のよいことには、さらに、溝１１７が、各側面の実質的に一方の上に、本例では、ジャック・コネクタ・ハウジング１００と１０１の面１１３上で、ハウジングの上部と下部端に形成され、溝１１７は、前結合面とジャック・コネクタ・ハウジング後面１１２の間で延び、さらに、図１および２によれば、垂直に整列した金属シールド板５００が挿入可能であり、それぞれの個々のジャック・コネクタ・ハウジング１００、１０１、および１０２の間で対応して配設可能である。
【００３４】
それぞれのモジュール式に配列可能なジャック・コネクタ・ハウジング１００、１０１、および１０２は、絶縁材料でできているため、シールド板５００について、別個の絶縁は必要でない。
【００３５】
ジャック・コネクタ・ハウジング１００、１０１、および１０２の配列におけるそれぞれの終結用ジャック・コネクタ・ハウジング１０１と１０２は、配列の始まりか、または、終りに配設され、前記終結用ジャック・コネクタ・ハウジング１０１と１０２は、さらに、本例示的実施形態の場合、組み立てた状態でそれぞれ外側に向く面上に、組み立てリブ１１８を備えて、ジャック・コネクタ・ハウジング１００、１０１、および１０２の共通外部金属シールド３００内への簡単な挿入が保証され、また、外部シールド３００内に挿入されるジャック・コネクタ・ハウジング１００、１０１、および１０２が機械的な事前応力印加によってその中に保持される。さらに、２つの外側ジャック・コネクタ・ハウジング１０１と１０２は、完全に組み立てられたモジュール式ジャック・コネクタ・システムを、図示しない固定具上に取り付けるために固定ピン１１９を備える。個々のジャック・コネクタ・ハウジング１００、１０１、１０２のモジュール式隣接配列によって、共通外部シールド・ハウジング３００内において、モジュール式ジャック接続システムに関して設けられる個々のジャック・コネクタまたは接続ジャックおよび／またはポートの数に関する大きな変動の可能性が保証され、それによって、本実施形態では、受け取られるジャック・コネクタ・ハウジング１００、１０１、および１０２の所望の数に応じて、それぞれ外部シールド３００のみが形成される。図示の実施形態は、４つの中央ジャック・コネクタ・ハウジング１００と、２つの外側ジャック・コネクタ・ハウジング１０１と１０２とを備え、その外部シールド３００は、ジャック・コネクタ・ハウジング１００、１０１、および１０２が画定する上部と下部のプラグ・コネクタ受け取り開口１１０と１１１によって、全体で１２の数のものを備え、その数のプラグ・コネクタ受け取り開口１１０と１１１には、開口１１０および１１１と整列する１２の数のカットアウト３０１〜３１２が対応し、それによって、モジュール式ジャック・コネクタ・システムが取り付けられた状態で示される図３の場合に特に見てわかるように、共通外部シールド・ハウジング３００内には全部で１２の接続ジャックまたはポートが設けられ、シールド・ハウジング３００は、前部分３１０と後部分３２０を備える。カットアウト３０１〜３１２上には、さらに、挿入されるプラグ・コネクタ用の、接続ジャック内に内側に湾曲した事前応力印加したシールド・タブ３１４（図２、３）が設けられる。
【００３６】
本発明によるモジュール式ジャック・コネクタ・システムは、本実施形態の場合、さらに、特に、プリント回路板の形態の接地板４００を備え、接地板４００上に、ジャック・コネクタ・ハウジング１００、１０１、および１０２が配設され、それによって、特定用途向けの回路接続のために、図１および図２による挿入されたジャック・コネクタ・サブアセンブリ２００から、外に延びる信号ピンが、接地板４００内の、対応して配設されたスルー・ホール４１０を通して垂直方向に誘導される。さらに、それによって、モジュール式ジャック・コネクタ・システムの取り付けられた状態でのピン２２０のさらなる機械的な位置決めが保証される。
【００３７】
２つジャック・コネクタ・ハウジング１００、１０１、および１０２の間で垂直に挿入可能なシールド板５００のそれぞれは、上に形成されたピン様突出部５１０を備え、ピン様突出部５１０は、接地板４００の開口４０５内に同時に挿入可能であり、接地板４００の開口４０５は、このために設けられ、シールドの改善のために、好ましい実施形態では前記接地板にはんだ付け可能である。接地板４００は、それによって、付加的なシールド要素を提供し、信号ピン２２０を受け取るためのスルー・ホール４１０は、個々の特定の信号経路を電気接続するための、任意のストリップ導体から離れ、周囲から絶縁される。ストリップ導体は厳密には示されない。
【００３８】
本実施形態の場合、外部シールド３００は、２つの部分で構成され、前部分３１０を備え、前部分３１０は、ジャック・コネクタ・ハウジングの前結合面から前記ジャック・コネクタ・ハウジング上に設置可能であり、前部分３１０は、カットアウト３０１〜３１２と、さらに、後部分３２０を備え、後部分３２０は、ジャック・コネクタ・ハウジング１００、１０１、１０２の後面から前部分３１０へ接続可能である。外部シールド３００の前部分３１０と後部分３２０は、重ね合わせエリア内に形成され、重ね合わせエリアは、組み立てのために設けられ、所定の突出エリア３１９および／または相補的カットアウト・エリア３２２を形成され、突出エリア３１９および／または相補的カットアウト・エリア３２２によって、前部分３１０と後部分３２０は、組み立て後に、一緒にはんだ付けされる。
【００３９】
さらに、接地板４００は、モジュール式ジャック・コネクタ・システムの組み立て後に、外部シールド・ハウジング３００にはんだ付けされ、外部シールド・ハウジング３００上では、図示の実施形態の場合、さらに、後方外部シールド・ハウジング部分３２０上に、対応するはんだ付けタブ３２１が形成され、それによって、全体として非常に良好な外側シールドが設けられる。
【００４０】
接地板４００はまた、この用途に従って、外部シールド３００の外部寸法を超えて延びることができ、それによって、前記接地板４００は、たとえば、付加的な電気／電子部品用のキャリアとしても使用可能であるということに、注意が向けられるべきである。仮に、接地板４００が、さらに、複合構造を有する補償回路板として作られる場合、それによって、干渉フィルタリングのさらなる改善のために、容量性作用がさらに達成される。
【００４１】
外部シールド３００の後方ハウジング部分３２０は、さらに、それぞれの受け取られたジャック・コネクタ・サブアセンブリ２００について、少し内側に湾曲した事前応力印加されたはんだ付けタブ３２５を備え、それによって、簡単な方法で、それぞれのジャック・コネクタ・サブアセンブリ２００の包含する金属シールド板２７０（図９）への直接はんだ付けをもたらすことができる。こうしてもたらされたジャック・コネクタ・サブアセンブリ２００の直接接地は、特に、ＥＭＣおよびＣＭＲ値のさらなる改善のために、最小伝達抵抗が確保される。
【００４２】
以降で、特に、図５、６、および７が参照され、図５、６、および７には、本発明によるジャック・コネクタ・サブアセンブリ２００の実質的な部品が、さらに詳細に示される。
【００４３】
本発明による図示のジャック・コネクタ・サブアセンブリ２００は、２つの分離した、互いに対して平行に整列した側面キャリア板２１０を備え、側面キャリア板２１０は、個々の特定の信号経路を電気接続するためにストリップ導体（ストリップ導体はさらに詳細には述べられない）と信号調節部品とを備える。
【００４４】
２つのキャリア板２１０の間には、キャリア板２１０の平面に対して垂直平面において、プラスチック材料でできた長手方向ストリップ様キャリア２５０が延在し、長手方向ストリップ様キャリア２５０は、以降でさらに詳細に述べるように、ジャック端子２６０の２つの列を搭載し、ジャック端子２６０の、それぞれのジャック端子接点部分２６５と２６６は、挿入されるプラグ・コネクタの端子接点と接触するために、ジャック・コネクタ・ハウジング１００、１０１、および１０２のプラグ・コネクタ受け取り開口１１０と１１１内に取り付けられた状態で、対応して整列する。
【００４５】
ストリップ様キャリア２５０の上に、かつ／または、下には、分離した側面板２１０によって空間が画定され、空間内で、箱様モジュール挿入物２８０、２８１、特に、信号を整流するためのマグネット箱モジュール２８０が受け取られる。この適用例によれば、これらのマグネット箱モジュール２８０は、前もって作製され、たとえば、２、４、８、または１２のコイル・コアを備えることがもたらされる。
【００４６】
今述べたさらなる回路接続のために、ジャック・コネクタ・サブアセンブリ２００から誘導される、実質的に全ての信号ピン２２０は、実質的に直角であり、それぞれ、短いピン端２２１から延び、短いピン端２２１は、電気接続のために、キャリア板２１０のそれぞれの接続スルー・ホールを介して前記キャリア板２１０に適切に接続される。
【００４７】
図５および図６で特に見てわかるように、キャリア板２１０のそれぞれの外側面上には、種々の特に実配線されたさらなる電気／電子部品２５５が配設される。図５および図６では、ジャック・コネクタ・サブアセンブリ２００のモジュール挿入物２３１から誘導されるピンは、さらに、インライン電源を供給するために働き、その理由で、接続ジャックおよび／またはポート当たり、４８ボルト用の２つのピンが設けられ、また、接続の完全性を視覚表示するために、ジャック・コネクタ・サブアセンブリ２００にＬＥＤ機能を装備することのためにも働く。
【００４８】
外部シールド３００の前部分３１０および後部分３２０は、組み立てのために設けられる重ね合わせエリア内に、所定の突出エリア３１９および／または相補的カットアウト・エリア３２２が作られる。
【００４９】
長手方向ストリップ様キャリア２５０は、好ましくは、２つの同一のキャリアの半分２５１と２５２から構築される。２つのキャリアの半分２５１と２５２の積重ね式組み立て表面の間に、金属シールド板２７０が、配設され、サンドイッチ様に保持される。それぞれのキャリアの半分２５１および／または２５２上には、２つの対向して配設された横方向キャリア面上に、係合デバイス２５３ａ、２５４ａおよび２５３ｂ、２５４ｂが、互いに対してそれぞれ相補的に形成される。係合デバイス２５３ａ、２５４ａおよび２５３ｂ、２５４ｂは、キャリアの半分２５１と２５２の組み立て表面を互いの上部に設置することによって協働し、それによって、積重ねたキャリアの半分２５１と２５２の都合よく解除可能な係合および固定が簡単に生成される。
【００５０】
さらに、それぞれのプラスチック材料のキャリアの半分２５１と２５２は、押出しコーティングによってキャリアの半分２５１および／または２５２に接続される、一連のジャック端子２６０を搭載し、図示の実施形態では、８つのジャック端子を搭載する。キャリア板２１０の一方を受け取るための、それぞれの後方端子端２６３における押出しコーティングまたは射出成形ジャック端子２６０は、キャリアの半分２５１および／または２５２から横方向に誘導され、前ジャック端子接点部分２６５と２６６までに、未コーティング・ラジアス・エリア２６４を含む。前ジャック端子接点部分２６５と２６６は、同様に未コーティングであり、ラジアス・エリア２６４の上で反り返っている。
【００５１】
２つのキャリアの半分２５１と２５２の組み立てられた状態および／または分解された状態において、ストリップ様キャリア２５０の上面と下面から、それぞれ、反り返った接点部分２６５および／または２６６が片持ち方式で延びる。ジャック・コネクタ・ハウジング１００、１０１、１０２内へジャック・コネクタ・サブアセンブリが挿入された状態では、一連の接点部分２６５は、図１に従って、ジャック・コネクタ・ハウジングの上部プラグ・コネクタ受け取り開口１１０内で受け取られ、整列し、逆に延びる一連の接点部分２６６は、ジャック・コネクタ・ハウジング（図３）の下部プラグ・コネクタ受け取り開口１１１内で受け取られ、整列する。
【００５２】
１つのそれぞれのキャリアの半分２５１および／または２５２の前出口エリアにおけるジャック端子２６０の、ラジアス・エリア２６４までの押出しコーティングは、さらに、あるタイプのバンプまたはナックル２６９を形成し、その高さは、好ましくは、ラジアスを形成しながら、ラジアス・エリア２６４の方向に減少する。バンプまたはナックル２６９は、それによって、接点部分２６５および／または２６６用のストップを提供し、プラグ・コネクタがナックル２６９の方向にプラグ・コネクタ受け取り開口１１０および１１１を通して挿入される場合に、前記接点部分２６５および／または２６６が圧縮されると、接点部分２６５および／または２６６は、挿入された状態で、ラジアス・エリア２６４の上で、ナックル２６９の上で反り返り、それによって、接点部分２６５および／または２６６の永続的な事前応力印加が確保される。
【００５３】
キャリアの半分２５１と２５２の上には、さらに、固定デバイスおよび／または固定クリップ２６８が形成され、それによって、側面キャリア板２１０の間に配設されるモジュール式に挿入可能な箱挿入物２８０、２８１が固定される。
【００５４】
金属シールド板２７０は、２つのキャリアの半分２５１と２５２の間で、サンドイッチ様に保持され、押出しコーティングまたは射出成形ジャック端子のために、さらなる絶縁を必要としない。シールド板２７０は、上述したように、シールド・ハウジング部分３２０の外側後方にはんだ付けするための後方はんだ付けエリア、ならびに、２つの横方向に湾曲したタブ２７２を備え、横方向に湾曲したタブ２７２は、接地のために、２つのキャリア板２１０に接続される。
【００５５】
図８〜１０に示すジャック・コネクタ・サブアセンブリ２００は、上述したＬＥＤ機能を装備し、このために、各キャリア板２１０上に、電気作動式ＬＥＤ２９０を備え、電気作動式ＬＥＤ２９０は、直角放射用ＬＥＤを使用する場合、キャリア板に容易に一体化され、それによって、直角放射光は、キャリア板２１０に固定された導波路２９１を介して前方向に、すなわち、ジャック・コネクタ・ハウジング１０１を受け取るジャック・コネクタ・サブアセンブリ２００の方に誘導される。ジャック・コネクタ・ハウジング１００、１０１、および１０２は、目に見えるように開口を介して前方向に、導波路２９１によって画定されるプラグ・コネクタ受け取り開口１１０と１１１の方に、放射光を誘導するための、対応して整列した誘導チャネル１８０を有するこうした導波路２９１を受け取るように、都合よくさらに形成される。
【００５６】
各キャリア板２１０上には、最大４つのＬＥＤが接続可能である。すなわち、キャリア板２１０の上部と下部のジャック・コネクタ・ハウジングに面する端の内側と外側にそれぞれ接続可能である。図示の実施形態の場合、導波路２９１は、それぞれ、隣接した、すなわち、内部と外部に配設された２つのＬＥＤ２９０について、共通外部シースを備える。それによって、取り付けられた状態で、各接続ポートまたは接続ジャック（図１０）について、最大４つのＬＥＤ機能が表示可能である。
【００５７】
本発明によるモジュール式ジャック・コネクタ・システムは、種々のモジュール式に組み立て可能で、かつ、拡張可能な個々の部品のために、空間を節約し、かつ、最大限外部にシールドされた機構における種々の異なるジャック・コネクタの種々の迅速で、かつ、簡単な構成を保証し、特に、押出しコーティング保持式ジャック接点およびそれぞれの絶縁式ジャック・コネクタ・ハウジング・モジュールにより、中間に位置する金属シールド・デバイス用の接地に関するさらなる絶縁は、必要ではなく、その結果、さらなるコスト節約につながる。
【００５８】
当業者に対して、電気的にシールドしたジャック・コネクタは、添付の特許請求の範囲によって規定される範囲を破棄することなく、多くの特定用途向けの変更を提案することができることに、注意が向けられるべきである。特に、応用領域は、イーサネット(登録商標)・ネットワークに限定されず、本発明によるジャック・コネクタ・システムのモジュール式に構築されたジャック・コネクタはまた、本発明によるジャック・コネクタ・システム内に異なるタイプの接続ポートを設けることができる。
【図面の簡単な説明】
【００５９】
【図１】部分的に組み立てられた状態の、本発明によるジャック・コネクタ・システムの高い視角度からの正面分解斜視図である。
【図２】図１による、本発明によるジャック・コネクタ・システムの水平鏡像を示す図である。
【図３】組み立てられた状態の、図１による、本発明によるジャック・コネクタ・システムを示す図である。
【図４】図３による、本発明によるジャック・コネクタ・システムの水平鏡像を示す図である。
【図５】図１による、本発明によるジャック・コネクタ・システムのジャック・コネクタ・サブアセンブリの第１実施形態の、高い視角度からの正面分解斜視図である。
【図６】サブアセンブリの長手方向軸を中心に図５によるジャック・コネクタ・サブアセンブリを１８０°回転させた図である。
【図７】図５によるサブアセンブリのストリップ様ジャック端子キャリアの斜視図である。
【図８】分解した状態の、付加的なＬＥＤ機能を有する本発明によるジャック・コネクタ・ハウジングおよびジャック・コネクタ・サブアセンブリの第２実施形態の高い視角度からの正面分解斜視図である。
【図９】サブアセンブリの垂直横断軸を中心に、図８による図に関して１８０°回転させた図である。
【図１０】図８によるジャック・コネクタ・ハウジングおよびジャック・コネクタ・サブアセンブリの図であり、しかし、ジャック・コネクタ・サブアセンブリがジャック・コネクタ・ハウジング内に挿入された状態である。
【符号の説明】
【００６０】
１００、１０１、１０２  ジャック・コネクタ・ハウジング
１１０、１１１  プラグ・コネクタ受け取り開口
１１２  後方ジャック・コネクタ・ハウジング面
１１３、１１４  横方向ジャック・コネクタ・ハウジング面
１１５、１１６  係合デバイス
１１７  溝
１１８  組み立てリブ
１１９  固定ピン
１８０  誘導チャネル
２００  ジャック・コネクタ・サブアセンブリ
２１０  側面キャリア板
２２０  信号ピン
２２１  信号ピン端
２５０  ジャック端子キャリア
２５１  上部ジャック端子キャリアの半分
２５２  下部ジャック端子キャリアの半分
２５３ａ、２５３ｂ  係合手段
２５４ａ、２５４ｂ  係合手段
２５５  電気／電子部品
２６０  ジャック端子
２６３  ジャック端子端
２６４  ラジアス・エリア
２６５  上部の一連のジャック端子接点部分
２６６  下部の一連のジャック端子接点部分
２６８  固定機構
２６９  バンプまたはナックル
２７０  水平シールド板
２７２  はんだ付け部分
２７２  接続タブ
２８０  マグネット箱モジュール
２８１  箱モジュール
２９０  ＬＥＤ
２９１  導波路
３００  外部シールド・ハウジング
３０１〜３１２  プラグ・コネクタ通路
３１４  シールド・タブ
３１５  シールド・ハウジング前部分
３１６  突出エリア
３２０  シールド・ハウジング後部分
３２１  接続タブ
３２２  カットアウト・エリア
３２５  はんだ付けタブ
４００  接地板
４０５  はんだ付けスルー・ホール
４１０  信号ピン・スルー・ホール
５００  垂直シールド板
５１０  はんだ付けピン
【図１】
2007520036.tif 000003
【図２】
2007520036.tif 000004
【図３】
2007520036.tif 000005
【図４】
2007520036.tif 000006
【図５】
2007520036.tif 000007
【図６】
2007520036.tif 000008
【図７】
2007520036.tif 000009
【図８】
2007520036.tif 000010
【図９】
2007520036.tif 000011
【図１０】
2007520036.tif 000012
【国際調査報告】
2007520036.tif 000013
2007520036.tif 000014
2007520036.tif 000015